(57)【要約】      （修正有）【課題】カメラ付携帯電話のカメラ機能を用いて水中での撮影を可能にするカメラ付携帯電話用水中ケースの提供。【解決手段】カメラ付携帯電話用水中ケース１の少なくともカメラ付携帯電話３１のディスプレイ３５とカメラレンズ３７に対応する部分を透明な部材によって構成し、カメラレンズ３７に対応する部分にカメラレンズリング１６を配設し、さらに、カメラ付携帯電話用水中ケース１とカメラ付携帯電話３１の操作部側本体３２及び表示部側本体３３の表面３８，３９との間に誤作動防止突起１１を配設し、カメラ付携帯電話用水中ケース１とカメラ付携帯電話３１の操作部側本体３２及び表示部側本体３３の背面４０，４１との間にクッション部材１４を配設し、クッション部材１４をカメラ付携帯電話用水中ケース１に形成される窓部１２の軟質シート１３上に配設した。【選択図】図１
2005269191.tif 000002
【特許請求の範囲】
【請求項１】
防水性を備えた携帯電話収容空間（４）を形成するケース本体（２）と蓋（３）及び携帯電話収容空間（４）内に収容されるカメラ付携帯電話（３１）のカメラ機能を操作する操作機構（６）を備えたカメラ付携帯電話用水中ケース（１）であって、
上記カメラ付携帯電話用水中ケース（１）は、少なくともカメラ付携帯電話（３１）のディスプレイ（３５）及びカメラレンズ（３７）に対応する部分が透明な部材によって構成され、しかも、上記カメラレンズ（３７）に対応する部分にはカメラレンズリング（１６）が配設されて成り、さらに、上記カメラ付携帯電話用水中ケース（１）とカメラ付携帯電話（３１）の操作部側本体（３２）及び表示部側本体（３３）の表面（３８，３９）との間に誤作動防止突起（１１）が配設されていると共に、カメラ付携帯電話用水中ケース（１）とカメラ付携帯電話（３１）の操作部側本体（３２）及び表示部側本体（３３）の背面（４０，４１）との間にクッション部材（１４）が配設され、上記クッション部材（１４）は、カメラ付携帯電話用水中ケース（１）に形成される窓部（１２）を成す軟質シート（１３）上に配設されていることを特徴とするカメラ付携帯電話用水中ケース。
【請求項２】
上記カメラ付携帯電話用水中ケース（１）は、カメラ付携帯電話（３１）の操作部側本体（３２）を収容する操作部側本体収容部（２２）と、カメラ付携帯電話（３１）の表示部側本体（３３）を収容する表示部側本体収容部（２３）より成り、上記操作部側本体収容部（２２）と表示部側本体収容部（２３）がくの字型又はＬ字型に連接されていることを特徴とする請求項１記載のカメラ付携帯電話用水中ケース。
【請求項３】
防水性を備えた携帯電話収容空間（４）を形成するケース本体（２）と蓋（３）及び携帯電話収容空間（４）内に収容されるカメラ付携帯電話（３１）のカメラ機能を操作する操作機構（６）を備え、複数の操作キー（３４）が配設された操作部側本体（３２）とディスプレイ（３５）が配設された表示部側本体（３３）とが折り畳み自在に構成されていると共に、カメラ部（３６）を備えて成る折畳式のカメラ付携帯電話（３１）を開いた状態で収容するカメラ付携帯電話用水中ケース（１）であって、
上記カメラ付携帯電話用水中ケース（１）は、操作部側本体（３２）を収容する操作部側本体収容部（２２）と表示部側本体（３３）を収容する表示部側本体収容部（２３）とをくの字型に連接して成り、上記操作機構（６）が操作部側本体収容部（２２）に設けられていると共に、少なくともカメラ付携帯電話（３１）のディスプレイ（３５）及びカメラレンズ（３７）に対応する部分が透明な部材によって構成され、しかも、上記カメラレンズ（３７）に対応する部分にはカメラレンズリング（１６）が配設されて成り、さらに、上記操作部側本体収容部（２２）及び表示部側本体収容部（２３）と操作部側本体（３２）及び表示部側本体（３３）の表面（３８，３９）との間に誤作動防止突起（１１）が配設されていると共に、操作部側本体収容部（２２）及び表示部側本体収容部（２３）と操作部側本体（３２）及び表示部側本体（３３）の背面（４０，４１）との間にクッション部材（１４）が配設され、上記クッション部材（１４）は、操作部側本体収容部（２２）及び表示部側本体収容部（２３）に形成される窓部（１２）を成す軟質シート（１３）上に配設されていることを特徴とするカメラ付携帯電話用水中ケース。
【請求項４】
防水性を備えた携帯電話収容空間（４）を形成するケース本体（２）と蓋（３）及び携帯電話収容空間（４）内に収容されるカメラ付携帯電話（３１）のカメラ機能を操作する操作機構（６）を備え、複数の操作キー（３４）が配設された操作部側本体（３２）とディスプレイ（３５）が配設された表示部側本体（３３）とが折り畳み自在に構成されていると共に、カメラ部（３６）を備えて成る折畳式のカメラ付携帯電話（３１）を直角に開いた状態で収容するカメラ付携帯電話用水中ケース（１）であって、
上記カメラ付携帯電話用水中ケース（１）は、操作部側本体（３２）を収容する操作部側本体収容部（２２）と表示部側本体（３３）を収容する表示部側本体収容部（２３）とをＬ字型に連接して成ると共に、操作部側本体収容部（２２）における操作部側本体（３２）の背面（４０）側又は表示部側本体収容部（２３）における表示部側本体（３３）の背面（４１）側の何れか一方に蓋（３）が嵌め合わされる開口部（５）が形成され、さらに、上記操作機構（６）が操作部側本体収容部（２２）に設けられていると共に、少なくともカメラ付携帯電話（３１）のディスプレイ（３５）及びカメラレンズ（３７）に対応する部分が透明な部材によって構成され、しかも、上記カメラレンズ（３７）に対応する部分にはカメラレンズリング（１６）が配設されて成り、さらに、上記操作部側本体収容部（２２）及び表示部側本体収容部（２３）と操作部側本体（３２）及び表示部側本体（３３）の表面（３８，３９）との間に誤作動防止突起（１１）が配設されていると共に、操作部側本体収容部（２２）及び表示部側本体収容部（２３）と操作部側本体（３２）及び表示部側本体（３３）の背面（４０，４１）との間にクッション部材（１４ａ，１４ｂ）が配設され、上記クッション部材（１４ａ，１４ｂ）の何れか一方又は双方は、操作部側本体収容部（２２）及び表示部側本体収容部（２３）の何れか一方又は双方に形成される窓部（１２）を成す軟質シート（１３）上に配設されていることを特徴とするカメラ付携帯電話用水中ケース。
【請求項５】
防水性を備えた携帯電話収容空間（４）を形成するケース本体（２）と蓋（３）及び携帯電話収容空間（４）内に収容されるカメラ付携帯電話（３１）のカメラ機能を操作する操作機構（６）を備えたカメラ付携帯電話用水中ケース（１）であって、
上記カメラ付携帯電話用水中ケース（１）は、少なくともカメラ付携帯電話（３１）のディスプレイ（３５）及びカメラレンズ（３７）に対応する部分が透明な部材によって構成され、さらに、上記携帯電話収容空間（４）内にクッション部材（１４）が配設されていることを特徴とするカメラ付携帯電話用水中ケース。
【発明の詳細な説明】
【技術分野】
【０００１】
本発明は、カメラ付携帯電話のカメラ機能を用いて水中での撮影を可能にするカメラ付携帯電話用水中ケースに関する。
【背景技術】
【０００２】
カメラ機能を備えたカメラ付携帯電話の利用者は、日常のみならず旅行やレジャーの際等、様々な場面でカメラ付携帯電話のカメラ機能を用いて撮影を行っており、ダイビング等の際にカメラ付携帯電話のカメラ機能を用いて水中での撮影を行いたいという要望も少なくない。
【０００３】
しかしながら、カメラ付携帯電話においては、ダイビング等の際の水圧に耐えられるような防水性を備えたものはなく、さらに、カメラ付携帯電話のカメラ機能を水中で使用できるようにする水中ケースも提供されておらず、また、通常のカメラを水中にて使用する際に用いる水中ケースをカメラ付携帯電話に適用することも考慮されるが、形状や形態が異なるためその適用は困難である。
【０００４】
さらに、水中の様子を撮影した画像の伝達手段として携帯電話を用いた漁業用監視システム（特許文献１参照）が提案されているが、この場合、携帯電話は画像の伝達手段として利用されているものであり、カメラ付携帯電話のカメラ機能を用いて水中を撮影することはできないものである。
【特許文献１】特開平１１−２９８８８４
【発明の開示】
【発明が解決しようとする課題】
【０００５】
上述したように、現状ではカメラ付携帯電話のカメラ機能を水中で使用することはできず、ダイビング等の際にカメラ付携帯電話のカメラ機能を用いて水中での撮影を行いたいというカメラ付携帯電話の利用者の要望に応えることができないものであった。
【０００６】
よって本発明は、上記要望に応えるものであって、カメラ付携帯電話のカメラ機能を用いて水中での撮影を可能にするカメラ付携帯電話用水中ケースの提供を目的とする。
【課題を解決するための手段】
【０００７】
本発明は、上記目的を達成するために、次の技術的手段を有する。
即ち、防水性を備えた携帯電話収容空間４を形成するケース本体２と蓋３及び携帯電話収容空間４内に収容されるカメラ付携帯電話３１のカメラ機能を操作する操作機構６を備えたカメラ付携帯電話用水中ケース１であって、上記カメラ付携帯電話用水中ケース１は、少なくともカメラ付携帯電話３１のディスプレイ３５及びカメラレンズ３７に対応する部分が透明な部材によって構成され、しかも、上記カメラレンズ３７に対応する部分にはカメラレンズリング１６が配設され、さらに、上記カメラ付携帯電話用水中ケース１とカメラ付携帯電話３１の操作部側本体３２及び表示部側本体３３の表面３８，３９との間に誤作動防止突起１１が配設されていると共に、カメラ付携帯電話用水中ケース１とカメラ付携帯電話３１の操作部側本体３２及び表示部側本体３３の背面４０，４１との間にクッション部材１４が配設され、上記クッション部材１４は、カメラ付携帯電話用水中ケース１に形成される窓部１２を成す軟質シート１３上に配設されていることを特徴とするカメラ付携帯電話用水中ケースである。
【０００８】
さらに、上記カメラ付携帯電話用水中ケース１は、カメラ付携帯電話３１の操作部側本体３２を収容する操作部側本体収容部２２と、カメラ付携帯電話３１の表示部側本体３３を収容する表示部側本体収容部２３より成り、上記操作部側本体収容部２２と表示部側本体収容部２３がくの字型又はＬ字型に連接されていることを特徴としている。
【発明の効果】
【０００９】
本発明は、上記の如く構成され、防水性を有する携帯電話収容空間４内にカメラ付携帯電話３１を収容すると共に、カメラ付携帯電話用水中ケース１に設けられた操作機構６によってカメラ付携帯電話３１のカメラ機能を操作することにより、カメラ付携帯電話３１による水中での撮影を可能するカメラ付携帯電話用水中ケース１を提供でき、しかも、カメラレンズ３７に対応する部分に配設されるカメラレンズリング１６により、ハレーション等の不具合が防止され、水中Ｗでの撮影を良好に行えるカメラ付携帯電話用水中ケース１を提供できる。
【００１０】
さらに、携帯電話収容空間４内に収容されるカメラ付携帯電話３１を、誤作動防止突起１１と窓部１２を成す軟質シート１３上に配設されたクッション部材１４とで保持することにより、大気中においてはカメラ付携帯電話３１の仮固定を行い、水中Ｗにおいては水圧Ｐを利用してカメラ付携帯電話３１の本固定を行うことができると共に、カメラ付携帯電話３１の誤作動を防止できるカメラ付携帯電話用水中ケース１を提供できる。
【００１１】
また、カメラ付携帯電話用水中ケース１をくの字型に構成することにより、広く一般に普及している折畳式のカメラ付携帯電話３１における通常の使用状態（操作部側本体３２に対して表示部側本体３３を開いた状態）にフィットさせることができ、使い勝手が良く操作性に優れたカメラ付携帯電話用水中ケース１を提供できる。
【００１２】
さらに、カメラ付携帯電話用水中ケース１をＬ字型に構成することにより、カメラ付携帯電話用水中ケース１の全長を短くすることができると同時に、蓋３の面積を最小限に抑えることができ、コンパクトで防水性に優れたカメラ付携帯電話用水中ケース１を提供できる。
【発明を実施するための最良の形態】
【００１３】
次に添付図面に基づき、本発明のカメラ付携帯電話用水中ケースについて説明する。
図１〜図５は、本発明のカメラ付携帯電話用水中ケース１の構成を示し、図中３１は、カメラ付携帯電話を示している。カメラ付携帯電話３１は、図１，図２に示したように、複数の操作キー３４が配設された操作部側本体３２とディスプレイ３５及びアンテナ４２が配設された表示部側本体３３より成り、表示部側本体３３の背面４１の上部中央にカメラ部３６が配設されている。
【００１４】
本発明のカメラ付携帯電話用水中ケース１は、一側に開口する携帯電話収容空間４を備えたケース本体２と携帯電話収容空間４の開口部５を塞ぐ蓋３より成り、上記開口部５をシール部材１７（図８参照）を介して蓋３で塞ぐことによって、防水性を備えた携帯電話収容空間４が形成されている。
【００１５】
上記カメラ付携帯電話用水中ケース１は、カメラ付携帯電話３１の操作部側本体３２を収容する操作部側本体収容部２２と表示部側本体３３を収容する表示部側本体収容部２３によって構成され、操作部側本体収容部２２には、携帯電話収容空間４内に収容されるカメラ付携帯電話３１のカメラ機能を操作する操作機構６が設けられている。
【００１６】
上記操作機構６は、カメラ付携帯電話３１の操作キー３４におけるカメラ機能の各種操作（撮影モードの切り替えやズーム機能等）を行うための機能キー４３ａ，４３ｂ，４３ｃ，４３ｄ及び決定キー４４（シャッターキーとしても利用される）を操作するプッシュボタン７ａ，７ｂ，７ｃ，７ｄ及びプッシュボタン７ｅより成り、本実施の形態では、決定キー４４を中心としてその周囲に十字型に機能キー４３ａ，４３ｂ，４３ｃ，４３ｄが配設されている場合を示し、プッシュボタン７ａが機能キー４３ａに、プッシュボタン７ｂが機能キー４３ｂに、プッシュボタン７ｃが機能キー４３ｃに、プッシュボタン７ｄが機能キー４３ｄに、プッシュボタン７ｅが決定キー４４に各々対応している。
【００１７】
上記プッシュボタン７ａ，７ｂ，７ｃ，７ｄ及びプッシュボタン７ｅは、図６に示したように、ボタン部分７１（７１ｅ）、軸部７２、バックスプリング７３、ストッパー７４及び押圧端７５より成り、上記軸部７２は、ケース本体２の操作部側本体収容部２２の内外に貫通すると共に、携帯電話収容空間４内への浸水を防止するＯリング７６を介して摺動自在に配設され、さらに、軸部７２のケース本体２の外側に位置する端部にはボタン部分７１が形成されていると共に、ケース本体２の内側に位置する端部が押圧端７５を成し、しかも、上記ボタン部分７１は、軸部７２の周囲に配設されたバックスプリング７３によってケース本体２の外側に向かって付勢されていると共に、軸部７２のケース本体２の内側に形成されたストッパー７４によって抜け防止が行われている。
【００１８】
そして、上記プッシュボタン７ａ，７ｂ，７ｃ，７ｄ及びプッシュボタン７ｅのボタン部分７１を押下操作Ｓすることによって、携帯電話収容空間４内に位置するプッシュボタン７ａ，７ｂ，７ｃ，７ｄ及びプッシュボタン７ｅ各々の押圧端７５を介して機能キー４３ａ，４３ｂ，４３ｃ，４３ｄ及び決定キー４４がプッシュ操作され、カメラ付携帯電話３１におけるカメラ機能の各種操作を行うことができ、しかも、操作機構６をプッシュ式とすることによって、水中Ｗでのカメラ機能の操作を容易に行うことができ、加えて、本実施の形態では、機能キー４３ａ，４３ｂ，４３ｃ，４３ｄに対応するプッシュボタン７ａ，７ｂ，７ｃ，７ｄに対して、決定キー４４に対応するプッシュボタン７ｅのボタン部分７１の大きさを大きくすることにより、誤操作の発生を防止している。
【００１９】
さらに、上記カメラ付携帯電話用水中ケース１は、少なくともカメラ付携帯電話３１のディスプレイ３５及びカメラ部３６のカメラレンズ３７に対応する部分が透明である必要があり、本実施の形態においては、ケース本体２及び蓋３の全体をアクリルやポリカーボネイト等の透明な素材によって構成することでディスプレイ３５及びカメラレンズ３７に対応する部分の透明化を実現している。
【００２０】
また、上記カメラレンズ３７に対応する部分には、図７に示したように、カメラレンズリング１６が配設され、カメラ部３６のカメラレンズ３７に入射する乱光を防止し、撮影時のハレーション等の不具合を防止している。尚、本実施の形態では、カメラレンズリング１６をカメラ付携帯電話用水中ケース１の外側部分に配設した場合を示したが、これに加えて、内側部分、即ち、携帯電話収容空間４内に配設することも考慮される。
【００２１】
さらに、図５，図６に示したように、上記カメラ付携帯電話用水中ケース１とカメラ付携帯電話３１の操作部側本体３２及び表示部側本体３３の表面３８，３９との間には、誤作動防止突起１１が配設され、また、カメラ付携帯電話用水中ケース１とカメラ付携帯電話３１の操作部側本体３２及び表示部側本体３３の背面４０，４１との間には、クッション部材１４が配設されており、携帯電話収容空間４内に収容されたカメラ付携帯電話３１は、誤作動防止突起１１とクッション部材１４に挟まれるようにして保持・固定されるものである。
【００２２】
また、上記クッション部材１４は、エアクッションやスポンジ等の弾性部材より成り、カメラ付携帯電話用水中ケース１の操作部側本体３２及び表示部側本体３３の背面４０，４１側に形成される窓部１２を成す軟質シート１３上に配設され、上記窓部１２を成す軟質シート１３は、ビニル樹脂等の軟質素材によって構成されている。
【００２３】
さらに、上記軟質シート１３は、枠部材１５によって窓部１２に押圧保持されて成り、携帯電話収容空間４内の防水性が維持されており、また、軟質シート１３は、水中での使用時に加わる水圧Ｐによって、携帯電話収容空間４内に向かって変形する。尚、軟質シート１３の窓部１２への取り付けは、上記に限らず、防水性を確保できるのであれば、溶着や接着等によって行うことも可能である。
【００２４】
また、ケース本体２と蓋３との間のシール構造を示しているのが図８であり、携帯電話収容空間４の開口部５を構成するケース本体２の端部には、Ｏリング等の弾性部材より成るシール部材１７を保持する保持溝１８と、蓋３の嵌合位置を規定する位置決め凸部２０が形成されており、他方、蓋３には、上記シール部材１７との密着性を向上させるための係合溝１９が形成されていると共に、位置決め凸部２０に嵌合する嵌合壁２１が形成されている。また、ケース本体２に対する蓋３の嵌合を確実とすると共に、シール性を向上させるために、加圧固定手段等を用いることも考慮される。
【００２５】
次に、本発明のカメラ付携帯電話用水中ケース１の使用例について説明する。
カメラ付携帯電話用水中ケース１の使用に際し、先ず、カメラ付携帯電話３１を携帯電話収容空間４内に収容すると共に、カメラ付携帯電話３１の操作キー３４におけるカメラ機能に関連する機能キー４３ａ，４３ｂ，４３ｃ，４３ｄ及び決定キー４４を操作機構６におけるプッシュボタン７ａ，７ｂ，７ｃ，７ｄ及び７ｅに対応させた状態でケース本体２の開口部５に対して蓋３を嵌合させることにより、携帯電話収容空間４内が密封されると同時に、誤作動防止突起１１とクッション部材１４との間にカメラ付携帯電話３１が仮固定される。
【００２６】
次いで、ダイバー５１がカメラ付携帯電話３１を収容したカメラ付携帯電話用水中ケース１を所持して水中Ｗに潜った際には、クッション部材１４が配設されている窓部１２を成す軟質シート１３が、水圧Ｐによって携帯電話収容空間４内に向かって変形し、この変形により、軟質シート１３上に配設されたクッション部材１４がカメラ付携帯電話３１を押圧（図６中矢印Ｐ２）し、誤作動防止突起１１とクッション部材１４との間にカメラ付携帯電話３１が本固定されることとなる。
【００２７】
そして、上記の仮固定状態から本固定状態への移行は、軟質シート１３の全体に対して均等に加わる水圧Ｐによってクッション部材１４を介してカメラ付携帯電話３１が均一に押圧Ｐ２されることによって行われるので、カメラ付携帯電話３１の固定位置がズレる心配がなく、従って、カメラ付携帯電話用水中ケース１内に収容されたカメラ付携帯電話３１のカメラ機能の各種操作を操作機構６のプッシュボタン７ａ，７ｂ，７ｃ，７ｄ，７ｅにて確実に行うことができる。
【００２８】
そして、水中Ｗに潜ったダイバー５１が、カメラ付携帯電話用水中ケース１に収容されたカメラ付携帯電話３１を用いて水中Ｗでの撮影を行う際の状態を示しているのが図９，図１０であり、ダイバー５１は、カメラ付携帯電話用水中ケース１に収容されたカメラ付携帯電話３１のカメラレンズ３７を被写体５２に向けると共に、ディスプレイ３５に映し出される画像５３を確認しながら右手５４及び左手５５で、カメラ機能を操作するための機能キー４３ａ，４３ｂ，４３ｃ，４３ｄに対応するプッシュボタン７ａ，７ｂ，７ｃ，７ｄを必要に応じて操作（押下操作Ｓ）すると共に、決定キー４４に対応するプッシュボタン７ｅを操作（押下操作Ｓ）してカメラ機能の各種操作を行い、最終的にシャッター操作（本実施の形態では、プッシュボタン７ｅの押下操作Ｓによる決定キー４４の操作）を行うことによって、被写体５２の撮影を行うものである。
【００２９】
そして、本発明のカメラ付携帯電話用水中ケース１は、上述した如くカメラ付携帯電話３１のカメラ機能を用いて水中Ｗでの撮影を可能とすることができ、しかも、カメラ付携帯電話３１のカメラ機能の各種操作が、カメラ付携帯電話用水中ケース１に設けられた操作機構６によって通常と同様に行うことができるので、水中Ｗでの撮影を容易に行うことができる。
【００３０】
尚、本実施の形態において示したカメラ付携帯電話３１は、一例であり、操作キー３４におけるカメラ機能を操作するための機能キー４３ａ，４３ｂ，４３ｃ，４３ｄ及び決定キー４４の位置に応じて操作機構６におけるプッシュボタン７ａ，７ｂ，７ｃ，７ｄ及び７ｅの位置や配列を調整したり、カメラ部３６の位置に応じてカメラレンズリング１６の取付位置を調整することで、様々なカメラ付携帯電話３１に対応することができる。
【実施例１】
【００３１】
次に、本発明の第１の実施例について説明する。
本実施例は、複数の操作キー３４が配設された操作部側本体３２とディスプレイ３５が配設された表示部側本体３３とが折り畳み自在に構成されていると共に、カメラ部３６を備えて成る折畳式のカメラ付携帯電話３１を開いた状態で収容することができるカメラ付携帯電話用水中ケース１を示し、図１〜図５に示したように、カメラ付携帯電話用水中ケース１をくの字型に形成した場合を示している。尚、本実施例の説明において、上記実施の形態で詳述されている部分については、その説明を省略する。
【００３２】
本実施例のカメラ付携帯電話用水中ケース１は、カメラ付携帯電話３１の操作部側本体３２を収容する操作部側本体収容部２２と表示部側本体３３を収容する表示部側本体収容部２３とをくの字型に連接して成る、即ち、ケース本体２及び携帯電話収容空間４並びに蓋３がくの字型に形成されて成るものである。
【００３３】
上記ケース本体２は、カメラ付携帯電話３１の操作部側本体３２及び表示部側本体３３を表面３８，３９側から収容するように形成されており、携帯電話収容空間４の開口部５が操作部側本体３２及び表示部側本体３３の背面４０，４１側に形成され、上記蓋３は、操作部側本体３２及び表示部側本体３３の背面４０，４１側から開口部５に嵌め合わされる（図１，図２参照）。
【００３４】
さらに、上記ケース本体２の操作部側本体収容部２２にカメラ付携帯電話３１のカメラ機能を操作する操作機構６が設けられていると共に、携帯電話収容空間４における操作部側本体３２の表面３８及び表示部側本体３３の表面３９と向かい合う面の各々に複数の誤作動防止突起１１が配設されている。
【００３５】
そして、上記蓋３における操作部側本体３２の背面４０及び表示部側本体３３の背面４１と向かい合う位置には、軟質シート１３より成る窓部１２が形成されており、軟質シート１３上には、クッション部材１４が配設され、さらに、蓋３のカメラ部３６のカメラレンズ３７に対応する部分には、カメラレンズリング１６が配設されている。
【００３６】
そして、図３，図４，図５に示したように、ケース本体２の携帯電話収容空間４内にカメラ付携帯電話３１を収容すると共に、開口部５に蓋３を嵌合させることにより、カメラ付携帯電話３１のカメラ機能を用いて水中Ｗでの撮影を可能にするカメラ付携帯電話用水中ケース１が形成されるものである。
【００３７】
そして、上述したように、本実施例のカメラ付携帯電話用水中ケース１は、折畳式のカメラ付携帯電話３１を開いた状態、即ち、通常の使用状態で携帯電話収容空間４内にカメラ付携帯電話３１を収容できると共に、カメラ機能の各種操作を行うことができるので、使い勝手が良く操作性に優れるものである。
【００３８】
尚、本実施例では、カメラ付携帯電話３１の操作部側本体３２及び表示部側本体３３の表面３８，３９側がケース本体２、操作部側本体３２及び表示部側本体３３の背面４０，４１側が蓋３と成るようにカメラ付携帯電話用水中ケース１を構成した場合を示したが、この逆、即ち、操作部側本体３２及び表示部側本体３３の表面３８，３９側が蓋３、操作部側本体３２及び表示部側本体３３の背面４０，４１側がケース本体２と成るようにすることも勿論可能である。
【００３９】
また、上記操作部側本体収容部２２と表示部側本体収容部２３とをくの字型に連接する際の角度は、９０度より大きい角度から折畳式のカメラ付携帯電話３１を全開にした際の角度（１８０度より小さい角度）の範囲で任意に決めることができる。
【実施例２】
【００４０】
次に、本発明の第２の実施例について説明する。
本実施例は、複数の操作キー３４が配設された操作部側本体３２とディスプレイ３５が配設された表示部側本体３３とが折り畳み自在に構成されていると共に、カメラ部３６を備えて成る折畳式のカメラ付携帯電話３１を直角に開いた状態で収容することができるカメラ付携帯電話用水中ケース１を示し、図１１〜図１５に示したように、カメラ付携帯電話用水中ケース１をＬ字型に形成した場合を示している。尚、本実施例の説明において、上記実施の形態で詳述されている部分については、その説明を省略する。
【００４１】
本実施例のカメラ付携帯電話用水中ケース１は、カメラ付携帯電話３１の操作部側本体３２を収容する操作部側本体収容部２２と表示部側本体３３を収容する表示部側本体収容部２３とをＬ字型（直角）に連接して成るものであり、カメラ付携帯電話３１の表示部側本体３３の背面４１側に開口部５が形成され、蓋３が表示部側本体３３の背面４１側から開口部５に嵌め合わされる（図１１，図１２参照）。
【００４２】
そして、上記ケース本体２の操作部側本体収容部２２にカメラ付携帯電話３１のカメラ機能を操作する操作機構６が設けられていると共に、携帯電話収容空間４における操作部側本体３２の表面３８及び表示部側本体３３の表面３９と向かい合う面の各々に複数の誤作動防止突起１１が配設されている。
【００４３】
そして、上記蓋３における表示部側本体３３の背面４１と向かい合う位置には、軟質シート１３より成る窓部１２が形成されており、軟質シート１３上には、クッション部材１４ａが配設され、さらに、蓋３のカメラ部３６のカメラレンズ３７に対応する部分には、カメラレンズリング１６が配設されている。
【００４４】
また、上記ケース本体２の操作部側本体収容部２２の携帯電話収容空間４における操作部側本体３２の背面４０と向かい合う面には、クッション部材１４ｂが窓部１２を成す軟質シート１３を介さずに配設されている。尚、本実施例では、クッション部材１４ｂが窓部１２を成す軟質シート１３上に配設されていない場合を示しているが、ケース本体２の操作部側本体収容部２２の携帯電話収容空間４における操作部側本体３２の背面４０と向かい合う面に軟質シート１３より成る窓部１２を設け、クッション部材１４ｂを軟質シート１３上に配設することも勿論可能である。
【００４５】
そして、直角に開かれたカメラ付携帯電話３１は、操作部側本体３２をケース本体２における操作部側本体収容部２２の携帯電話収容空間４に挿入するようにしてＬ字型のケース本体２に収容されるものであり、図１３，図１４，図１５に示したように、ケース本体２の携帯電話収容空間４内にカメラ付携帯電話３１を収容すると共に、開口部５に蓋３を嵌合させることにより、カメラ付携帯電話３１のカメラ機能を用いて水中Ｗでの撮影を可能にするカメラ付携帯電話用水中ケース１が形成されるものである。
【００４６】
そして、上述したように、本実施例のカメラ付携帯電話用水中ケース１は、折畳式のカメラ付携帯電話３１を直角に開いた状態で携帯電話収容空間４内にカメラ付携帯電話３１を収容するものであるので、カメラ付携帯電話用水中ケース１の全長を短くすることができ、カメラ付携帯電話用水中ケース１のコンパクト化を図ることができる。
【００４７】
さらに、蓋３を表示部側本体３３の背面４１側のみとすることによって、蓋３の面積、即ち、ケース本体２における開口部５の面積を最小限に抑えることができ、防水性を高めることができると共に、製作コストの低減を図ることができる。
【００４８】
尚、本実施例では、カメラ付携帯電話３１の表示部側本体３３の背面４１側に開口部５を形成し、この開口部５に蓋３が嵌合するように構成されたカメラ付携帯電話用水中ケース１を示したが、操作部側本体３２の背面４０側に開口部５を形成することも勿論可能である。
【実施例３】
【００４９】
次に、本発明の第３の実施例について説明する。
本実施例は、カメラ付携帯電話用水中ケース１における操作機構６の他の例を示し、図１６〜図１８に示したように、カメラ付携帯電話３１におけるカメラ機能を操作するための機能キー４３ａ，４３ｂ，４３ｃ，４３ｄ（決定キー４４を中心としてその周囲に十字型に機能キー４３ａ，４３ｂ，４３ｃ，４３ｄが配設されている）を単一の操作手段で操作できる操作機構６の一例を示している。
【００５０】
本実施例の操作機構６は、機能キー４３ａ，４３ｂ，４３ｃ，４３ｄを操作するための回転式操作手段８と、決定キー４４を操作するためのプッシュボタン７ｆより成るものであり、プッシュボタン７ｆが回転式操作手段８に対して一体的に配設されている。
【００５１】
上記回転式操作手段８は、決定キー４４を中心にしてその周囲に十字型（同心円上）に機能キー４３ａ，４３ｂ，４３ｃ，４３ｄが配設されている場合（図１８参照）に対応しており、円盤状の操作ヘッド部分８１、中空軸部８２、バックスプリング８３、ストッパー８４、アーム８５、押圧凸部８６より成り、上記中空軸部８２は、ケース本体２の操作部側本体収容部２２の内外に貫通すると共に、携帯電話収容空間４内への浸水を防止するＯリング８７を介して摺動自在かつ回動Ｒ自在に配設され、さらに、上記中空軸部８２の周囲に配設されたバックスプリング８３によってケース本体２の外側に向かって付勢されている。
【００５２】
そして、上記中空軸部８２におけるケース本体２の外側に位置する端部には操作ヘッド部分８１が形成されていると共に、ケース本体２の内側に位置する端部にストッパー８４及びアーム８５が一体的に形成され、上記アーム８５の先端部分には、機能キー４３ａ，４３ｂ，４３ｃ，４３ｄを操作するための押圧凸部８６が形成されている。
【００５３】
そして、上記中空軸部８２の中空部分には、決定キー４４を操作するためのプッシュボタン７ｆが配設されているものであり、プッシュボタン７ｆの構成については、上記実施の形態で説明したプッシュボタン７ａ，７ｂ，７ｃ，７ｄ及びプッシュボタン７ｅと同様の構成であるので、その詳細については省略するが、プッシュボタン７ｆにおける押圧端７５は、上記回転式操作手段８における押下操作Ｑの際に、決定キー４４を誤操作しないよう、中空軸部８２に形成された押下端収容部８８内に収容されている。
【００５４】
さらに、上記回転式操作手段８における円盤状の操作ヘッド部分８１と本体ケース２との間には、ガイド溝１０に沿ってスライド可能なＵ字状のロック部材９が配設され、上記中空軸部８２の中空部分に配設されたプッシュボタン７ｆの押下操作Ｓの際に、機能キー４３ａ，４３ｂ，４３ｃ，４３ｄを誤操作しないように構成されている。
【００５５】
次に、上記回転式操作手段８を備えた操作機構６によるカメラ付携帯電話３１の機能キー４３ａ，４３ｂ，４３ｃ，４３ｄ及び決定キー４４の操作方法について説明する。
機能キー４３ａ，４３ｂ，４３ｃ，４３ｄの操作は、先ず、操作ヘッド部分８１を回してアーム８５を回動Ｒさせ、操作したい機能キー４３ａ，４３ｂ，４３ｃ，４３ｄの何れかの上に押圧凸部８６を位置させる（図１８では、機能キー４３ｄ上）。
【００５６】
次いで、ロック部材９を操作ヘッド部分８１の下方位置から操作ヘッド部分８１に干渉しない位置までガイド溝１０に沿ってスライドＫさせてロックを解除した後、操作ヘッド部分８１を押下操作Ｑすることによって、機能キー４３ａ，４３ｂ，４３ｃ，４３ｄ（図１８では、機能キー４３ｂ）の操作が行われる。
【００５７】
さらに、決定キー４４の操作は、上記ロック部材９をロック位置（ロック部材９が操作ヘッド部分８１の下方位置した状態）に位置させた状態で、プッシュボタン７ｆを押下操作Ｓすることによって行うものであり、上記回転式操作手段８による機能キー４３ａ，４３ｂ，４３ｃ，４３ｄの操作とプッシュボタン７ｆによる決定キー４４の操作によって、カメラ付携帯電話３１におけるカメラ機能の各種操作を行うことができる。
【００５８】
そして、上述したように、回転式操作手段８によって機能キー４３ａ，４３ｂ，４３ｃ，４３ｄの操作を行えるようにすることにより、複数の機能キーの一つ一つに対応するプッシュボタンを配設する必要がなくなるので、操作機構６の簡素化と製造コストの低減を図ることができる。
【００５９】
尚、本実施の形態及び実施例では、決定キー４４を中心としてその周囲に十字型に機能キー４３ａ，４３ｂ，４３ｃ，４３ｄが配設されている場合を示したが、その配列等は、カメラ付携帯電話３１の機種によって異なるものであり、その配列に応じて操作機構６を構成することで様々な機種に対応できることは言うまでもない。
【図面の簡単な説明】
【００６０】
【図１】くの字型のカメラ付携帯電話用水中ケースの構成を示す正面斜視図である。
【図２】くの字型のカメラ付携帯電話用水中ケースの構成を示す背面斜視図である。
【図３】くの字型のカメラ付携帯電話用水中ケースの正面斜視図である。
【図４】くの字型のカメラ付携帯電話用水中ケースの背面斜視図である。
【図５】図３におけるＡ−Ａ線に沿う断面図である。
【図６】携帯電話の収容状態を示す拡大断面図である。
【図７】図５におけるＢ−Ｂ線に沿う断面図である。
【図８】カメラ付携帯電話用水中ケースのシール部分の構成を示す部分拡大図である。
【図９】カメラ付携帯電話用水中ケースの使用状態を示す図である。
【図１０】カメラ付携帯電話用水中ケースを用いた撮影状態を示す図である。
【図１１】Ｌ字型のカメラ付携帯電話用水中ケースの構成を示す正面斜視図である。
【図１２】Ｌ字型のカメラ付携帯電話用水中ケースの構成を示す背面斜視図である。
【図１３】Ｌ字型のカメラ付携帯電話用水中ケースの正面斜視図である。
【図１４】Ｌ字型のカメラ付携帯電話用水中ケースの背面斜視図である。
【図１５】図１３におけるＣ−Ｃ線に沿う断面図である。
【図１６】カメラ付携帯電話用水中ケースにおける操作機構の他の例を示す操作機構の正面斜視図である。
【図１７】図１６におけるＤ−Ｄ線に沿う断面図である。
【図１８】図１７におけるＥ−Ｅ線に沿う断面図である。
【符号の説明】
【００６１】
１  カメラ付携帯電話用水中ケース
２  ケース本体
３  蓋
４  携帯電話収容空間
５  開口部
６  操作機構
７ａ，７ｂ，７ｃ，７ｄ，７ｅ，７ｆ  プッシュボタン
８  回転式操作手段
９  ロック部材
１０  ガイド溝
１１  誤作動防止突起
１２  窓部
１３  軟質シート
１４，１４ａ，１４ｂ  クッション部材
１５  枠部材
１６  カメラレンズリング
１７  シール部材
１８  保持溝
１９  係合溝
２０  位置決め凸部
２１  嵌合壁
２２  操作部側本体収容部
２３  表示部側本体収容部
３１  カメラ付携帯電話
３２  操作部側本体
３３  表示部側本体
３４  操作キー
３５  ディスプレイ
３６  カメラ部
３７  カメラレンズ
３８  操作部側本体の表面
３９  表示部側本体の表面
４０  操作部側本体の背面
４１  表示部側本体の背面
４２  アンテナ
４３ａ，４３ｂ，４３ｃ，４３ｄ  機能キー
４４  決定キー
５１  ダイバー
５２  被写体
５３  画像
５４  右手
５５  左手
５６  親指
７１，７１ｅ  ボタン部分
７２  軸部
７３，８３  バックスプリング
７４，８４  ストッパー
７５  押圧端
７６，８７  Ｏリング
８１  操作ヘッド部分
８２  中空軸部
８５  アーム
８６  押圧凸部
８８  押圧端収容部
Ｐ  水圧
Ｐ２  クッション部材による押圧
Ｓ，Ｑ  押下操作
Ｋ  ロック解除操作
Ｒ  回動操作
Ｗ  水中
【図１】
2005269191.tif 000003
【図２】
2005269191.tif 000004
【図３】
2005269191.tif 000005
【図４】
2005269191.tif 000006
【図５】
2005269191.tif 000007
【図６】
2005269191.tif 000008
【図７】
2005269191.tif 000009
【図８】
2005269191.tif 000010
【図９】
2005269191.tif 000011
【図１０】
2005269191.tif 000012
【図１１】
2005269191.tif 000013
【図１２】
2005269191.tif 000014
【図１３】
2005269191.tif 000015
【図１４】
2005269191.tif 000016
【図１５】
2005269191.tif 000017
【図１６】
2005269191.tif 000018
【図１７】
2005269191.tif 000019
【図１８】
2005269191.tif 000020